(57)【要約】【課題】配電盤に容易に取付けることができ、電気機器を引き出して点検を行うことができる引出機器用点検台を提供する。【解決手段】箱体に設けた電気機器４Ｂを引き出し可能に支持する水平な仕切り板３Ｂを備えた配電盤１内から前記電気機器４Ｂを引き出したときに保持する引出機器用点検台１０であって、前記仕切り板３Ｂに係合して前方に突出する底板部１１と、前記仕切り板３Ｂの上方の箱体２に係止される係止部１７と、該係止部１７と前記底板部１１とを連結する連結支持部１２Ｌ，１２Ｒとを備え、前記底板部１１に前記電気機器４Ｂを案内するガイドレール１３ａ，１３ｂが形成された構成を有する。【選択図】図１
2010220422.tif 000002
【特許請求の範囲】
【請求項１】
箱体に設けた電気機器を引き出し可能に支持する水平な仕切り板を備えた配電盤内から前記電気機器を引き出したときに保持する引出機器用点検台であって、
前記仕切り板に係合して前方に突出する底板部と、前記仕切り板の上方の箱体に係止される係止部と、該係止部と前記底板部とを連結する連結支持部とを備え、前記底板部に前記引出機器を案内するガイドレールが形成されたことを特徴とする引出機器用点検台。
【請求項２】
前記底板部と前記仕切り板との係合は、前記仕切り板の両側端に形成した上方に突出する２本のガイドピンと、前記底板部に突出形成した前記ガイドピンに係合するガイド孔を有する案内板とで行うことを特徴とする請求項１に記載の引出機器用点検台。
【請求項３】
前記ガイドピンは配電盤機器搬入出用リフタを位置決めするためのガイドピンであることを特徴とする請求項２に記載の引出機器用点検台。
【請求項４】
前記係止部は、前記箱体の少なくとも一方の側面側に配設された板面を垂直方向とした支持板と、前記側板部に形成した前記支持板に上方から引っ掛ける引掛金具とで構成されていることを特徴とする請求項１乃至３の何れか１項に記載の引出機器用点検台。
【請求項５】
前記底板部の前端側両側部に配電盤機器搬入出用リフタを位置決めするためのガイドピンが形成されていることを特徴とする請求項１乃至４の何れか１項に記載の引出機器用点検台。
【発明の詳細な説明】
【技術分野】
【０００１】
本発明は、真空遮断器などの電気機器を引出可能に収納した配電盤に装着して電気機器を引出して点検を可能とする引出機器用点検台に関する。
【背景技術】
【０００２】
一般に、配電盤では、真空遮断器などの電気機器を複数段に積み上げて収納する多段積配電盤が採用されている。この多段積配電盤では、電気機器を搬入出するために、リフタを使用するようにしている。このリフタと配電盤との位置決めを行うために、従来、配電盤の仕切り板端部に設けられたガイドピンの少なくとも一方が地上にいる作業者の視界の陰にならないような突出長を備え、ガイドピンの突出先端部を円錐上に形成することにより、リフタ側のガイド孔に嵌合しやすくさせることにより、リフタと配電盤との位置決め作業を容易するようにした配電盤機器搬入用リフタの位置決め装置が提案されている（例えば、特許文献１参照）。
【先行技術文献】
【特許文献】
【０００３】
【特許文献１】特開平４−３０４１０３号公報
【発明の概要】
【発明が解決しようとする課題】
【０００４】
しかしながら、配電盤から電気機器を引き出して点検する場合に、一々リフタを使用するには、リフタの外形が大きいこともあって使用を躊躇する場合がある。すなわち、簡易な点検のため、電気機器を全て引き出さずに一部のみを引き出したい場合でもリフタに頼らざるを得ず、リフタの移動やリフタと配電盤の仕切り板との位置決め作業等の煩わしい作業が必要となり、点検を容易に行うことができないという未解決の課題がある。
【０００５】
そこで、本発明は、上記従来例の未解決の課題に着目してなされたものであり、配電盤に容易に取付けることができ、電気機器を引き出して点検を行うことができる引出機器用点検台を提供することを目的としている。
【課題を解決するための手段】
【０００６】
上記目的を達成するために、請求項１に係る引出機器用点検台は、箱体に設けた電気機器を引き出し可能に支持する水平な仕切り板を備えた配電盤内から前記電気機器を引き出したときに保持する引出機器用点検台であって、前記仕切り板に係合して前方に突出する底板部と、前記仕切り板の上方の箱体に係止される係止部と、該係止部と前記底板部とを連結する連結支持部とを備え、前記底板部に前記引出機器を案内するガイドレールが形成されたことを特徴としている。
【０００７】
この構成によると、仕切り板に底板部を係合させるとともに、係止部を箱体に係止させて連結支持部によって底板部を支持することにより、引出機器用点検台を配電盤の箱体に容易に取付けることができ、この点検台の底板部に形成したガイドレールに沿わせて電気機器を引き出すことができる。
また、請求項２に係る引出機器用点検台は、前記底板部と前記仕切り板との係合は、前記仕切り板の両側端に形成した上方に突出する２本のガイドピンと、前記底板部に突出形成した前記ガイドピンに係合するガイド孔を有する案内板とで行うことを特徴としている。
【０００８】
この構成によると、点検台の底板部に形成した案内板のガイド孔を仕切り板の両端に形成されたガイドピンに係合させるだけで、底板部を仕切り板に容易に取付けることができる。
また、請求項３に係る引出機器用点検台は、請求項２に係る発明において、前記ガイドピンは配電盤機器搬入出用リフタを位置決めするためのガイドピンであることを特徴としている。
【０００９】
この構成によると、仕切り板に元々設置されている配電盤機器搬入出用リフタを位置決めするためのガイドピンを使用することにより、別途ガイドピンを設ける必要がなく、既存の配電盤にも容易に底板部を取付けることができる。
また、請求項４に係る引出機器用点検台は、前記係止部は、前記箱体の少なくとも一方の側面側に配設された板面を垂直方向とした支持板と、前記側板部に形成した前記支持板に上方から引っ掛ける引掛金具とで構成されていることを特徴としている。
【００１０】
この構成によると、係止部を箱体に形成した支持板と引出機器用点検台に形成した引掛金具とで構成することにより、係止部の箱体への係止を容易に行うことができる。
また、請求項５に係る引出機器用点検台は、前記底板部の前端側両側部に配電盤機器搬入出用リフタを位置決めするためのガイドピンが形成されていることを特徴としている。
この構成によれば、点検台上に電子機器を引き出した状態で、さらに電子機器を引き出したい場合に、ガイドピンによって配電盤機器搬入出用リフタの位置決めを行うことができ、リフタを使用してさらに電気機器を引き出すことができる。
【発明の効果】
【００１１】
本発明によれば、配電盤の箱体における仕切り板に底板部を係合させるとともに、係止部を仕切り板より上方の箱体に係止することにより、この係止部と底板部との間に配設された連結支持部で底板部を支持することにより、引出機器用点検台を容易に配電盤の箱体に装着することができ、底板部に形成されたガイドレールに沿って電子機器を引き出して点検することができるという効果が得られる。
【図面の簡単な説明】
【００１２】
【図１】本発明の引出機器用点検台の一実施形態を配電盤に装着した状態を示す側面図である。
【図２】図１の平面図である。
【図３】引出機器用点検台を示す平面図である。
【図４】図３の側面図である。
【発明を実施するための形態】
【００１３】
以下、本発明の実施の形態を図面に基づいて説明する。
図１は本発明による引出機器用点検台を配電盤に装着した状態を示す側面図であって、図中、１は配電盤である。この配電盤１は、箱体２を有し、この箱体２の上下方向に２段の仕切り板３Ａ及び３Ｂが所定間隔を空けて水平方向に固定配置されている。各仕切り板３Ａ及び３Ｂには真空遮断器等の引出可能な電子機器４Ａ及び４Ｂが挿入保持されている。電子機器４Ａ及び４Ｂのそれぞれは、下面側に仕切り板３Ａ及び３Ｂへの搬入及び搬出を容易に行えるように４つの車輪５が設けられている。
【００１４】
そして、各仕切り板３Ａ及び３Ｂには、その前端側の左右両端位置で、電子機器４及び４Ｂの走行の邪魔にならない位置に上方に突出するガイドピン６ａ，６ｂが形成されている。これらガイドピン６ａ，６ｂは、後述する配電盤機器搬入出用リフタ２０の荷台２３の先端を固定して位置決めするためのものである。
また、仕切り板３Ａ及び３Ｂの上方側の箱体２の内周面には、左右端部内周面から内方に板面を垂直方向として水平に突出する係止部の一部を構成する支持板７ａ及び７ｂが固定されている。
【００１５】
そして、配電盤１は、その仕切り板３Ａ及び３Ｂ上に載置されている電気機器４Ａ及び４Ｂを引き出す際に使用する引出機器用点検台１０が着脱自在に装着される。
この引出機器用点検台１０は、図３及び図４に示すように、水平な底板部１１と、この底板部１１の左右端部から上方に延長する連結支持部となる左右側板部１２Ｌ及び１２Ｒとを備えている。
【００１６】
底板部１１の上面には前後方向に延長する二本のガイドレール１３ａ及び１３ｂが平行に配設されている。この底板部１１の前後の下面には剛性を高めるために下方に折り曲げた折り曲げ部１１ａが形成されている。また、底板部１１の後端面には、前述した仕切り板３Ａ及び３Ｂに形成されたガイドピン６ａ及び６ｂに係合するガイド孔１４ａ及び１４ｂを形成した比較的幅狭の案内板１５ａ及び１５ｂが後方に突出されて配設されている。
【００１７】
左右側板部１２Ｌ及び１２Ｒは、図４に示すように、側面から見て底板部１１と平行な水平枠部１２ａと、この水平枠部１２ａの後方端から上方に延長する垂直枠部１２ｂと、この垂直枠部１２ｂの上端と前記水平枠部１２ａの前端とを連結する傾斜枠部１２ｃとで直角三角形状に形成されている。
そして、左右側板部１２Ｌ及び１２Ｒにおける垂直板部１２ｂの上端には、前述した箱体２に形成された支持板７ａ及び７ｂに引っ掛けるＬ字状の引掛金具１６ａ及び１６ｂが固定され、この引掛金具１６ａ及び１６ｂと垂直板部１２ｂの上端側に形成した切欠部１２ｄとで支持板７ａ及び７ｂの上端に係止するフック部１７が形成されている。
【００１８】
また、底板部１１の前端側の左右両端側に案内板１５ａ及び１５ｂのガイド孔１４ａ及び１４ｂに対向する位置に前述した仕切り板３Ａ及び３Ｂに形成したガイドピン６ａ及び６ｂと同様の配電盤機器搬入出用リフタ２０の荷台２３の先端を固定して位置決めするガイドピン１８ａ及び１８ｂが突出形成されている。
また、配電盤機器搬入出用リフタ２０は、図１及び図２に示すように、車輪２１が設けられた台車２２と、この台車２２の後方側に上方に延長する荷台２３を昇降可能に支持する支柱２４と、荷台２３に連結されたワイヤ２５が支柱２４の上端に配設された滑車２６を介して連結されたウインチボックス２７とを備えている。
【００１９】
次に、上記実施形態の動作を説明する。
配電盤１に内装されている電気機器３Ａ及び３Ｂの何れか例えば下側の電気機器３Ｂを配電盤１の手前側に引き出して点検や部品交換をしたい場合には、先ず、引出機器用点検台１０の左右側板部１２Ｌ及び１２Ｒの垂直枠部１２ｂの上端に形成された引掛金具１６ａ及び１６ｂを箱体２に形成された支持板７ａ及び７ｂの上方側となるように持ち上げて、垂直枠部１２ｂの切欠部１２ｄを支持板７ａ及び７ｂに当接させる。このとき、案内板１５ａ及び１５ｂのガイド孔１４ａ及び１４ｂが仕切り板３Ｂのガイドピン６ａ及び６ｂに上方から対向する状態となる。
【００２０】
この状態で、引出機器用点検台１０を下降させて、フック部１７を支持板７ａ及び７ｂの上端に引っ掛けるとともに、案内板１５ａ及び１５ｂのガイド孔１４ａ及び１４ｂをガイドピン６ａ及び６ｂに係合させる。この状態となると、底板部１１が仕切り板３Ｂの上面に接触する状態となって引出機器用点検台１０の箱体２への装着を完了する。
このように、引出機器用点検台１０の装着が完了すると、仕切り板３Ｂ上に載置されている電気機器４Ｂを手前に引き出し、車輪５をガイドレール１３ａ及び１３ｂに沿わせながら図１で実線図示のように底板部１１上に引き出す。
【００２１】
この底板部１１上に電気機器４Ｂが載置された状態では、電気機器４Ｂの殆どが箱体２の外側に引き出されることになり、点検や部品交換を行うことができる。
そして、点検や部品交換を終了すると、電気機器４Ｂの前端部を押して仕切り板３Ｂ上に戻し、仕切り板３Ｂ上の所定位置まで電気機器４Ｂを押し込むと、底板部１１上には電気機器４Ｂが載置されない初期状態に復帰する。この状態で、引出機器用点検台１０を持ち上げて、フック部１７と支持板７ａ及び７ｂとの係止状態を離脱させるとともに、ガイドピン６ａ及び６ｂと案内板１５ａ及び１５ｂのガイド孔１４ａ及び１４ｂとの係合を離脱させる。この状態で、引出機器用点検台１０を前方に引き抜くことにより、引出機器用点検台１０を箱体２から取り外すことができる。
【００２２】
また、引出機器用点検台１０の底板部１１上に電気機器４Ｂを引き出している状態で、さらに電気機器４Ｂを外部に引き出したい場合には、図１に示すように、引出機器用点検台１０のガイドピン１８ａ及び１８ｂに配電盤機器搬入出用リフタ２０の荷台２３に形成された案内板２８ａ及び２８ｂのガイド孔２９ａ及び２９ｂを係合させることにより、底板部１１と荷台２３とを一体化させることができる。この状態で、電気機器４Ｂを荷台２３上に移載することにより、図１で破線図示のように電気機器４Ｂを全て箱体２外に引き出すことができる。
【００２３】
この状態から電気機器４Ｂを箱体２内に収納するには、電気機器４Ｂを後方側に押して、電気機器４Ｂを後退させて、荷台２３から引出機器用点検台１０上に移載し、その後箱体２の仕切り板３Ｂ上に移載することにより、箱体２内に収納することができる。
その後、配電盤機器搬入出用リフタ２０の案内板２８ａ及び２８ｂのガイド孔２９ａ及び２９ｂをガイドピン１８ａ及び１８ｂから上方に離脱させることにより、配電盤機器搬入出用リフタ２０を引出機器用点検台１０から離脱させることができ、最後に前述したように引出機器用点検台１０を箱体２から離脱させる。
【００２４】
このように、上記実施形態においては、箱体２に引出機器用点検台１０をガイドピン６ａ及び６ｂに案内板１５ａ及び１５ｂのガイド孔１４ａ及び１４ｂを係合させるとともに、フック部１７を支持板７ａ及び７ｂに係止するだけの簡単な操作で取付けることができ、この引出機器用点検台１０の底板部１１上に電気機器４Ｂを引き出すことができる。このため、電気機器４Ｂの点検や部品交換を容易且つ迅速に行うことができる。
【００２５】
しかも、引出機器用点検台１０に電気機器４Ｂを引き出している状態で、さらに電気機器４Ｂを引き出したいときには引出機器用点検台１０に配電盤機器搬入出用リフタ２０を連結することにより、電気機器４Ｂをさらに外部に引き出すことができる。
なお、上記実施形態においては、引出機器用点検台１０の左右側板部１２Ｌ及び１２Ｒを連結支持部とした場合について説明したが、これに限定されるものではなく、左右側板部１２Ｌ及び１２Ｒを省略し、これらに代えて、底板部１１の前端側左右位置にワイヤの一端を固定し、ワイヤの他端に支持板７ａ及び７ｂに係止されるフック部を固定することにより、フック部を支持板７ａ及び７ｂに引っ掛けることにより、底板部１１をワイヤで支持することができ、上述した実施形態と同様の作用効果を得ることができる。
【００２６】
また、上記実施形態においては、引出機器用点検台１０の底板部１１を案内板１５ａ及び１５ｂのガイド孔１４ａ及び１４ｂを仕切り板３Ａ又は３Ｂのガイドピン６ａ及び６ｂに係合させる場合について説明したが、これに限定されるものではなく、底板部１１の後端側を仕切り板３Ａ又は３Ｂに形成した段部に当接させて引出機器用点検台１０の下方への回動を規制するようにしてもよい。
【符号の説明】
【００２７】
１…配電盤、２…箱体、３Ａ，３Ｂ…仕切り板、４Ａ，４Ｂ…電気機器、５…車輪、６ａ，６ｂ…ガイドピン、７ａ，７ｂ…支持板、１０…引出機器用点検台、１１…底板部、１２Ｌ，１２Ｒ…左右側板部、１４ａ，１４ｂ…ガイド孔、１５ａ，１５ｂ…案内板、１６ａ，１６ｂ…引掛金具、１７…フック部、２０…配電盤機器搬入出用リフタ、２２…走行台車、２３…荷台、２８ａ，２８ｂ…案内板、２９ａ，２９ｂ…ガイド孔
【図１】
2010220422.tif 000003
【図２】
2010220422.tif 000004
【図３】
2010220422.tif 000005
【図４】
2010220422.tif 000006